(57)【要約】【課題】第２の始動装置におけるトランスの小形化を図りながら部品点数の増加を抑え、かつ、高圧放電灯に対して始動装置を備えた点灯装置が離間して設置される場合も高圧放電灯の始動の確実性を向上すること。【解決手段】点灯装置２と高圧放電灯３との間に第２の始動装置５を介挿する。第２の始動装置５は点灯装置２から高電圧を印加されるとともに電力を供給され、高電圧を発生する。高圧放電灯３は、点灯装置２の第１の始動装置からの始動用高電圧が減衰している場合でも、第２の始動装置５の始動用高電圧により始動、点灯する。第２の始動装置５のトランス４４は高圧放電灯３に対して並列的に設けられているため、ランプ電流を流す必要はなく、巻線として線径の小さいものを選定可能である。第２の始動装置５の始動用高電圧は、第１の始動装置４のトランス３１に実質遮断され、悪影響を及ぼしたり、電源側に抜けて減衰したりすることが防止される。【選択図】図３
2005294062.tif 000002
【特許請求の範囲】
【請求項１】
高圧放電灯と；
高圧放電灯に対して出力巻線が直列的に接続されるトランスを有し高圧放電灯の始動用の高電圧を発生する第１の始動装置を備えた点灯装置と；
高圧放電灯および点灯装置の間に介挿され出力巻線が高圧放電灯に対して並列的に接続されるトランスを有し高圧放電灯の始動用の高電圧を発生する第２の始動装置と；
を具備していることを特徴とする放電灯点灯装置。
【請求項２】
高圧放電灯と；
高圧放電灯に対して出力巻線が直列的に接続されるトランスを有し高圧放電灯の始動用のパルス状高電圧を発生する第１の始動装置を備えた点灯装置と；
高圧放電灯および点灯装置の間に介挿され、点灯装置からの始動用のパルス状高電圧を吸収するパルス吸収手段および出力巻線が高圧放電灯に対して並列的に接続されるトランスを有し、高圧放電灯の始動用のパルス状高電圧を発生する第２の始動装置と；
を具備していることを特徴とする放電灯点灯装置。
【請求項３】
高圧放電灯を支持する照明装置本体と；
照明装置本体と離間された位置に設置された請求項１または２に記載の点灯装置と；
照明装置本体と別置または一体化されて設置された請求項１または２に記載の第２の始動装置と；
を具備していることを特徴とする照明装置。
【発明の詳細な説明】
【技術分野】
【０００１】
本発明は、高圧放電灯の始動用の高電圧を発生する始動装置を備えた放電灯点灯装置および照明装置に関する。
【背景技術】
【０００２】
水銀ランプ、メタルハライドランプ、高圧ナトリウムランプ等の高圧放電灯を始動させるための始動装置に関しては、これまでに各種のものが提案されている。そして、始動用の高電圧を発生するためにトランスを用いる形式のものにおいて、トランスを高圧放電灯と並列的に接続するものが提案されている（特許文献１）。このものは、トランスにランプ電流が流れないためトランスの巻線を細径化でき、ひいてはトランスを小形化できるという効果がある。
【特許文献１】特開昭４８‐６２２７１号公報（第３頁上段左欄１１行〜同右欄２行、第４図）
【発明の開示】
【発明が解決しようとする課題】
【０００３】
しかしながら、特許文献１に記載の技術は、トランスを小形化できる反面、パルス状の高電圧が安定器に印加しないようにチョークコイルとパス用コンデンサを安定器の出力側に格別に設ける必要が必要であり、部品点数の削減、小形化、低価格化の点で十分とはいえない。
【０００４】
一方、建築物や高圧放電灯を備えた照明装置本体の都合により、照明装置本体に対して始動装置を備えた点灯装置を離間して設置することがある。この場合、照明装置本体と点灯装置との距離が大きくなると、配線長の増大に伴う浮遊容量やインダクタの影響が大きくなり、始動用の高電圧が減衰する。このため、高圧放電灯に所望の始動用電圧を印加できなくなって確実な始動を得られなくなることがある。したがって、このような問題に対しても対策を施す必要があり、このため、本願発明者は、高圧放電灯と点灯装置との間であって高圧放電灯の近くに第２の始動装置を介挿可能にすることを検討した。
【０００５】
本発明は、このような検討により、第２の始動装置におけるトランスの小形化を図りながら部品点数の増加を抑え、かつ、高圧放電灯に対して始動装置を備えた点灯装置が離間して設置される場合も高圧放電灯の始動の確実性を向上できる放電灯点灯装置およびこの放電灯点灯装置を用いた照明装置を提供することを目的とする。
【課題を解決するための手段】
【０００６】
請求項１に記載の放電灯点灯装置は、高圧放電灯と；高圧放電灯に対して出力巻線が直列的に接続されるトランスを有し高圧放電灯の始動用の高電圧を発生する第１の始動装置を備えた点灯装置と；高圧放電灯および点灯装置の間に介挿され出力巻線が高圧放電灯に対して並列的に接続されるトランスを有し高圧放電灯の始動用の高電圧を発生する第２の始動装置と；を具備していることを特徴とする。
【０００７】
本発明および以下の各発明において、特に言及しない限り、各構成、用語は以下のように定義される。点灯装置はいわゆる鉄‐銅形のものでもよいし、半導体スイッチング素子を主体として構成されるインバータ等電子化されたものでもよい。そして、それぞれの形式において、具体的な回路形式も限定されない。第１の始動装置は始動用の高電圧を発生するために出力巻線を高圧放電灯に対して直列的に接続されるトランスを有する。また、このトランスに始動用の高電圧を発生させるためにスイッチおよびこのスイッチに電力の蓄積または放電を制御される電力蓄積手段（例えばコンデンサ）を含む始動回路を有する。始動回路の具体例としては、種々のものが提案されておりこれらのものを採用してもよいし、または適宜に構成してもよいものである。また、高圧放電灯の点灯後はランプ電流またはランプ電圧に感応して高電圧の発生を停止することも当業者にとっては容易に実施できることである。さらに、所定時間高電圧の発生を継続しても高電圧放電灯が点灯しない場合には高電圧の発生を停止すること、この作用を間欠的に繰り返すこと等の機能を持たせることも適宜採用可能である。
【０００８】
第２の始動装置も、基本的には第１の始動装置と同様に当業者であれば適宜構成できる。そして、第２の始動装置は、始動用高電圧の減衰を考慮しても高圧放電灯を始動できるのであれば、点灯装置および高圧放電灯の中間のどこに設置されてもよい。建築物、照明装置本体上の制約、始動装置の出力設計等を考慮して、例えば点灯装置より相対的に高圧放電灯に接近させて設置するとか、照明装置本体と一体または照明装置本体に内蔵して設置することが選択される。
【０００９】
なお、この第２の始動装置は、第１の始動装置および高圧放電灯の間の距離が小さく、第１の始動装置からの高電圧によって高圧放電灯を始動できる場合には不要である。したがって、第２の始動装置を点灯装置および高圧放電灯に対して着脱自在にするとともに、点灯装置および高圧放電灯を接続および離間自在とすることが好ましい。このために、これら三者間の電気接続器を共通仕様のものとすることが好ましい。
【００１０】
なお、本出願において、直列的に接続とは間に他の部品を介在させることなく直接接続されている場合および他の部品を介在させて接続されている場合の両方を含むことを意味している。並列的に接続も同様に両方を含むことを意味している。
【００１１】
請求項１記載の発明は、電源の投入により点灯装置が作動して第１の始動装置から高電圧を発生する。第２の始動装置は点灯装置から高電圧を印加されるとともにこの点灯装置を介して電力を供給され、高電圧を発生する。高圧放電灯は、点灯装置の第１の始動装置からの始動用高電圧が減衰している場合でも、第２の始動装置の始動用高電圧により始動、点灯する。
【００１２】
第２の始動装置のトランスは高圧放電灯に対して並列的に設けられているため、ランプ電流を流す必要はなく、巻線として線径の小さいものを選定可能である。
【００１３】
また、第２の始動装置の始動用高電圧は、第１の始動装置のトランスに実質遮断され、点灯装置の他の部品に印加して悪影響を及ぼしたり、電源側に抜けて減衰したりすることが防止される。
【００１４】
請求項２に記載の放電灯点灯装置は、高圧放電灯と；高圧放電灯に対して出力巻線が直列的に接続されるトランスを有し高圧放電灯の始動用のパルス状高電圧を発生する第１の始動装置を備えた点灯装置と；高圧放電灯および点灯装置の間に介挿され、点灯装置からの始動用のパルス状高電圧を吸収するパルス吸収手段および出力巻線が高圧放電灯に対して並列的に接続されるトランスを有し、高圧放電灯の始動用のパルス状高電圧を発生する第２の始動装置と；を具備していることを特徴としている。
【００１５】
請求項２に記載の発明において、パルス状の高電圧は実質的に一極側に単発的に発生するもの、正負両極側に複数回発生するもののいずれでもよい。このような始動装置も当業者であれば適宜構成できる範囲内である。パルス吸収手段は、例えばコンデンサによって構成されるが、同様な特性を示すものであれば他の手段であってもよい。
【００１６】
請求項２記載の発明は、請求項１記載の発明に加えて、第１の始動装置からの始動用のパルス状高電圧は第２の始動装置のパルス吸収手段によって吸収される。したがって、このパルス状高電圧が高圧放電灯に印加することを無くすか低減する。これにより、高圧放電灯には、高圧放電灯の始動に不十分なパルス状高電圧が、第２の始動装置からのパルス状高電圧との関係において非制御の状態で印加されることがない。すなわち、高圧放電灯に、第１の始動装置からのパルス状高電圧（減衰してはいるが）および第２の始動装置からのパルス状高電圧が重畳して印加されたり、連続的に印加されたり、要するに設計以外の高電圧が印加して高圧放電灯に悪影響を及ぼすことを予防する。
【００１７】
請求項３記載の照明装置は、高圧放電灯を支持する照明装置本体と；照明装置本体と離間された位置に設置された請求項１または２に記載の点灯装置と；照明装置本体と別置または内蔵された請求項１または２に記載の第２の始動装置と；を具備していることを特徴とする。
【００１８】
請求項３記載の発明において、照明装置本体は屋外用または屋内用のいずれでもよい。請求項３記載の発明は、上述した各請求項の発明のいずれかと同様な作用を奏し得る照明装置を提供する。
【発明の効果】
【００１９】
請求項１記載の発明によれば、点灯装置および高圧放電灯の間に相対的に高圧放電灯に接近させて第２の始動装置を介挿しているから、点灯装置と高圧放電灯との間の距離が大きく、点灯装置の第１の始動装置からの始動用高電圧が減衰している場合でも高圧放電灯を第２の始動装置の始動用高電圧により始動、点灯するができる。
【００２０】
また、第２の始動装置のトランスを高圧放電灯に対して並列的に設けたから、このトランスにはランプ電流が流れないため、巻線として線径の小さいものを選定して小形化、低価格化を図れる。
【００２１】
さらに、第１の始動装置のトランスを高圧放電灯に対して直列的に設けたから、第２の始動装置からの始動用のパルス状高電圧の通過を阻止でき、点灯装置の他の部品に印加して悪影響を及ぼしたり、電源側に抜けて減衰したりすることを防止できる。
【００２２】
請求項２記載の発明によれば、さらに、インピーダンス装置を設けたから、第１の始動装置からの始動用のパルス状高電圧を吸収でき、したがって、高圧放電灯が始動に不十分パルス状高電圧により寿命劣化等の悪影響を受けることを防止できる。
【００２３】
請求項３記載の発明によれば、請求項１または２に記載の発明と同様な効果を奏する照明装置を提供できる。
【発明を実施するための最良の形態】
【００２４】
以下、本発明の実施の形態を、図面を参照して説明する。まず、図１〜図４を参照して本発明の第１の実施形態について説明する。
【００２５】
図１は放電灯点灯装置の一実施形態の全体構成を示すブロック図、図２は同じく点灯装置を示す回路図、図３は第２始動装置を示す回路図、図４は同じく作用を説明する要部の電圧波形図である。
【００２６】
図１に示すように、商用交流電源１に点灯装置２を接続し、この点灯装置２は高圧放電灯３の安定点灯を図るものである。また、前記点灯装置２は高圧放電灯３を始動させるパルス電圧を発生する第１の始動装置４を内蔵している。このような点灯装置２と高圧放電灯３との間には第２の始動装置５を接続している。この第２の始動装置５は、例えば点灯装置２より高圧放電灯３に近く設置される。すなわち、図１において、配線４０ａ、４０ｂは、配線４０ｃ、４０ｄより長い配線長になっている。
【００２７】
また、本実施形態において、点灯装置２の端子３０ａ、３０ｂ、第２の始動装置５の入力端子４１ａ、４１ｂ、同じく出力端子（高圧放電灯３の入力端子）４２ａ、４２ｂは、それぞれ図示しない電気接続器によって着脱自在とされている。この場合の電気接続器は互いの接続が可能なように共通仕様化されている。そして、点灯装置２と高圧放電灯３とが近接設置されて、第２の始動装置５が不要な場合には、端子４２ａ、４２ｂにて高圧放電灯３と第２の始動装置とを切離す。また、端子３０ａ、３０ｂにて第２の指導装置５を点灯装置２から切離すとともに、高圧放電灯３を（高圧放電灯の入力端子４２ａ、４２ｂを用いて）端子３０ａ，３０ｂに接続する。したがって、第２の始動装置５がその必要性に応じて任意に挿脱可能である。なお、図１における各端子の位置（すなわち電気接続器を設ける位置）、個数は変形可能であり、実際の挿脱を考慮して任意に設計可能である。
【００２８】
本実施形態の点灯装置２は、図２に示すように、商用交流電源１から給電されて作動する電子化された形式のものである。まず、商用交流電源１からの電力をダイオードブリッジからなる全波整流回路１１を介して入力するようになっている。この全波整流回路１１の出力端間には高周波バイパス用のコンデンサ１２が接続されている。また、全波整流回路１１の出力端間には、第１のインダクタ１３、ＭＯＳ形の第１のＦＥＴ（電界効果形トランジスタ）１４および第１の電流検出素子１５の直列回路が接続されている。
【００２９】
前記第１のＦＥＴ１４と第１の電流検出素子１５との直列回路に対して、ダイオード１６を順方向に介して電解コンデンサからなる平滑コンデンサ１７を並列に接続している。前記第１のＦＥＴ１４に対して、オンオフを制御するチョッピング制御部１８が設けられている。このチョッピング制御部１８は前記全波整流回路１１からの入力電圧、前記平滑コンデンサ１７の両端間に発生する出力電圧、前記第１の電流検出素子１５からの出力電圧をそれぞれ入力し、前記ＦＥＴ１４のターンオンおよび／またはターンオフタイミングを制御するようにしている。
【００３０】
前記第１のインダクタ１３、第１のＦＥＴ１４、ダイオード１６、平滑コンデンサ１７は昇圧およびチョッピング制御部１８は昇圧チョッパ回路１９を構成している。この昇圧チョッパ回路１９は、昇圧作用により所要の直流電圧を得るとともに、アクティブフィルタ機能により商用交流電源１からの入力電流の高調波成分を低減するように作動する。
【００３１】
前記平滑コンデンサ１７の両端間に、極性反転回路兼レギュレータ回路２０を接続している。前記極性反転回路兼レギュレータ回路２０は、ＭＯＳ形の第２、第３、第４、第５のＦＥＴ２１，２２，２３，２４、第２、第３のインダクタ２５，２６を備えている。そして、前記第２のＦＥＴ２１、第２のインダクタ２５および第３のＦＥＴ２２は直列に接続され、前記第２のＦＥＴ２１のドレイン端子を前記平滑コンデンサ１７の正極端子側、前記第３のＦＥＴ２２のソース端子を第２の電流検出素子２７を介して前記平滑コンデンサ１７の負極端子側に接続されている。
【００３２】
また、前記第４のＦＥＴ２３、第３のインダクタ２６および第５のＦＥＴ２４は直列に接続され、前記第４のＦＥＴ２３のドレイン端子を前記平滑コンデンサ１７の正極端子側に接続され、前記第５のＦＥＴ２４のソース端子を前記第２の電流検出素子２７を介して前記平滑コンデンサ１７の負極端子側に接続されている。
【００３３】
前記第２のインダクタ２５と第３のＦＥＴ２２との直列回路には、ダイオード２８が第３のＦＥＴ２２とは逆極性にして並列に接続され、前記第３のインダクタ２６と第５のＦＥＴ２４との直列回路には、ダイオード２９が第５のＦＥＴ２４とは逆極性にして並列に接続されている。
【００３４】
前記第２のインダクタ２５と第３のＦＥＴ２２との接続点は、前記高圧放電灯３を接続する一方の端子３０ａに接続され、前記第３のインダクタ２６と第５のＦＥＴ２４との接続点は、前記第１の始動装置４を構成するトランス３１の出力巻線３１ｂを直列に介して前記高圧放電灯３を接続する他方の端子３０ｂに接続されている。
【００３５】
前記第１の始動装置４はさらに、前記第５のＦＥＴ２４に並列に接続されたダイオード３２、抵抗３３及びコンデンサ３４の直列回路、前記コンデンサ３４に並列に接続された前記トランス３１の入力巻線３１ａと双方向性２端子サイリスタ３５との直列回路からなる始動回路を含んでいる。
【００３６】
また、前記第２のインダクタ２５と第３のＦＥＴ２２との接続点と、前記第３のインダクタ２６と第５のＦＥＴ２４との接続点との間に、前記高圧放電灯３に印加する電圧の高周波成分をバイパスするためのコンデンサ３６を接続している。  
【００３７】
前記極性反転回路兼レギュレータ回路２０は、さらに、スイッチング制御部３７を備え、前記第２の電流検出素子２７からの出力電圧を取込み、流れる電流が一定になるように、前記第２、第３、第４、第５のＦＥＴ２１，２２，２３，２４をスイッチング制御するようになっている。
【００３８】
このときのスイッチング制御は、第２、第４のＦＥＴ２１，２３については数十ｋＨｚの高周波で行われ、第３、第５のＦＥＴ２２，２４については例えば１００Ｈｚという低周波で行われ、かつ、第２、第４のＦＥＴ２１，２３は第３、第５のＦＥＴ２２，２４に同期して高周波スイッチングしないオフ期間を設けている。すなわち、第５のＦＥＴ２４がオンしている期間に同期して第２のＦＥＴ２１が高周波スイッチング動作し、第５のＦＥＴ２４がオフしている期間は第２のＦＥＴ２１も高周波スイッチング動作を停止してオフ状態を継続し、第３のＦＥＴ２２がオンしている期間に同期して第４のＦＥＴ２３が高周波スイッチング動作し、第３のＦＥＴ２２がオフしている期間は第４のＦＥＴ２３も高周波スイッチング動作を停止してオフ状態を継続するようになっている。こうして、点灯装置２は高圧放電灯３に１００Ｈｚの矩形波の包絡線を有する高周波電力を供給することになる。なお、低周波の包絡線としては必ずしも矩形波に限定されるものではなく、正弦波であってもよい。また、低周波の周波数としては１００Ｈｚに限定するものではなく、また、低周波の包絡線を有する電力の他、数十ＫＨｚの高周波交流電力を連続して供給するものであってもよい。
【００３９】
第２の始動装置５は、点灯装置２から前記低周波の包絡線を有する電力の供給を受けて動作するもので、図３に示すように、入力端子４１ａ、４１ｂ間にパルス状電圧に対して低インピーダンス値を呈するインピーダンス装置４３およびトランス４４の出力巻線４４ｂの直列回路を接続している。出力端子４２ａ、４２ｂ間には高圧放電灯３が接続されるから、トランス４４の出力巻線４４ｂは高圧放電灯３に並列的に接続されることになる。インピーダンス装置４３は、例えば、低周波電圧をカットし、出力巻線４４ｂに低周波の電流が流れることを防止する。また、これに加えてあるいは別個に、出力巻線４４ｂと共振するような定数として出力巻線４４に発生する高電圧の波形を太らせる（幅を広げる）等、波形整形用として作用する。
【００４０】
入力端子４１ａ、４１ｂ間には、また、抵抗４５、ダイオード４６およびコンデンサ４７の直列回路が接続されている。前記ダイオード４６およびコンデンサ４７の直列回路には、第１の始動装置４からの始動用の高電圧を吸収するためのコンデンサ４８が並列に接続されている。また、前記ダイオード４６およびコンデンサ４７の中点は前記トランス４４の入力巻線４４ａの一端側に接続されている。そして、この入力巻線４４ａの他端側はダイオード４９および三端子スイッチング素子５０を介してコンデンサ４７の非ダイオード４６側に接続されている。
【００４１】
さらに、入力端子４１ａ、４１ｂ間には、抵抗５１、５２、５３およびコンデンサ５４の直列回路からなる時定数回路が接続されている。前記抵抗５３およびコンデンサ５４の直列回路の中点はトリガ素子５５を介して前記三端子スイッチング素子５０の制御極に接続されている。コンデンサ５４に並列接続された抵抗５６は、コンデンサ５４の放電用である。このような構成により、時定数回路のコンデンサ５４の両端電圧によりトリガ素子５５がオンすると、三端子スイッチング素子５０がオンする。したがって、コンデンサ４７の蓄積電荷は入力巻線４４ａ、ダイオード４９および三端子スイッチング素子を通して急速に放電する。これにより、トランス４４の出力巻線４４ｂの両端には高電圧が発生する。
【００４２】
なお、インピーダンス装置４８は場合によってはなくてもよい。また、インピーダンス装置４８を設ける場合、その値は吸収しようとする高電圧のレベル、周波数成分等を考慮して選定される。例えば、コンデンサを使用する場合、０．０３３μＦ以上が好適で、ここでは０．１μＦのものを使用している。
【００４３】
つぎに、本実施形態の作用を説明する。点灯装置２は、第１のＦＥＴ１４のオン、オフ動作により商用電源電圧のピーク値より昇圧された直流電圧を平滑コンデンサ１７の両端に生じる。極性反転回路兼レギュレータ回路２０では、第３のＦＥＴ２２と第５のＦＥＴ２４が低周波サイクルで交互にオン、オフ制御され、第２のＦＥＴ２１は第５のＦＥＴ２４がオンしている期間だけ高周波スイッチング動作し、第４のＦＥＴ２３は第３のＦＥＴ２２がオンしている期間だけ高周波スイッチング動作する。
【００４４】
そして、高圧放電灯３が点灯する前は、第４のＦＥＴ２３がオンすると、平滑コンデンサ１７の正極端子から、第４のＦＥＴ２３→第３のインダクタ２６→ダイオード３２→抵抗３３→コンデンサ３４→第２の電流検出素子２７→平滑コンデンサ１７の負極端子に充電電流が流れ、コンデンサ３４が充電される。この充電が第４のＦＥＴ２３のオン動作毎に繰り返され、やがてコンデンサ３４の充電電圧が双方向性２端子サイリスタ３５のブレークオーバ電圧に達すると、双方向性２端子サイリスタ３５が導通する。双方向性２端子サイリスタ３５が導通すると、トランス３１の入力巻線３１ａにコンデンサ３４からの放電電流が瞬時に流れ、トランス３１の出力巻線３１ｂに数ｋＶという高いパルス状の電圧が発生し、高圧放電灯３に印加される。
【００４５】
点灯装置２と高圧放電灯３が短い配線で接続されるような場所に設置される場合は、高圧放電灯３との配線距離が短いのでパルス状の高電圧はほとんど減衰することなく高圧放電灯３に印加される。これが繰り返されることで高圧放電灯３はやがて点灯を開始するようになる。このように高圧放電灯３との配線距離が短い場合は第１の始動装置４からのパルス状の電圧によって確実に始動点灯させることができるため、上述したように第２の始動装置５を取り除くことが可能である。
【００４６】
この場合、高圧放電灯３が点灯した後は、高圧放電灯３のランプ電圧が、例えば、２６０Ｖ程度から１００〜１３０Ｖ程度に低下するので、コンデンサ３４の充電電圧が双方向性２端子サイリスタ３５のブレークオーバ電圧に達しなくなり、第１の始動装置４からのパルス電圧の出力は停止される。すなわち、高圧放電灯３の点灯後はパルス電圧の発生を確実に停止させることができる。
【００４７】
また、第５のＦＥＴ２４がオンしている期間においては、第２のＦＥＴ２１がオンすると、平滑コンデンサ１７の正極端子から、第２のＦＥＴ２１→インダクタ２５→高圧放電灯３→イグナイタトランス３１の２次巻線→第５のＦＥＴ２４→第２の電流検出素子２７→平滑コンデンサ１７の負極端子に電流が流れ、また、第２のＦＥＴ２１がオフすると、インダクタ２５→高圧放電灯３→イグナイタトランス３１の２次巻線→第５のＦＥＴ２４→ダイオード２８→インダクタ２５に電流が流れ、これが第２のＦＥＴ２１のオン、オフ毎に繰り返される。
【００４８】
また、第３のＦＥＴ２２がオンしている期間においては、第４のＦＥＴ２３がオンすると、平滑コンデンサ１７の正極端子から、第４のＦＥＴ２３→インダクタ２６→イグナイタトランス３１の２次巻線→高圧放電灯３→第３のＦＥＴ２２→第２の電流検出素子２７→平滑コンデンサ１７の負極端子に電流が流れ、また、第４のＦＥＴ２３がオフすると、インダクタ２６→イグナイタトランス３１の２次巻線→高圧放電灯３→第３のＦＥＴ２２→ダイオード２９→インダクタ２６に電流が流れ、これが第４のＦＥＴ２３のオン、オフ毎に繰り返される。
【００４９】
こうして高圧放電灯３は１００Ｈｚ程度の低周波で点灯を維持することになる。また、点灯時において極性反転回路兼レギュレータ回路２０から高圧放電灯３に供給される電圧波形は低周波の矩形波となる。実際には、この矩形波に高周波成分が載るがコンデンサ３６によって滑らかになる。
【００５０】
そして、点灯装置２と高圧放電灯３が長い配線で接続されるような場所に設置される場合は、点灯装置２の第１の始動装置４から発生するパルス電圧が途中で減衰するため高圧放電灯３をスムーズに始動点灯できなくなる。この場合は、図１に示すように、点灯装置２の端子３０ａ，３０ｂに長い配線４０ａ，４０ｂの一端を接続し、この配線４０ａ，４０ｂの他端に第２の始動装置５の入力端子４１ａ，４１ｂを接続し、この第２の始動装置５の出力端子４２ａ，４２ｂに高圧放電灯３を短い配線で接続することになる。
【００５１】
このような構成においては、点灯装置２から低周波の包絡線を有する電力を供給されて第２の始動装置５は動作するようになる。そして、点灯装置２の第１の始動装置４から発生したパルス電圧は第２の始動装置５のインピーダンス装置４８によって吸収される。したがって、第２の始動装置５において点灯装置２からのパルス電圧により素子が損傷するなどの悪影響を除去できる。また、点灯装置２から出力される矩形波電圧によって、入力端子４１ａが正極のときに抵抗４５、ダイオード４６を介してコンデンサ４７が充電される。さらに、抵抗５１、５２および５３を介してコンデンサ５４も充電される。そして、このコンデンサ５４の充電電圧がトリガ素子５５のブレークオーバ電圧に達すると、トリガ素子５５が導通する。
【００５２】
トリガ素子５５が導通すると、トランス４４の入力巻線４４ａにコンデンサ４７からの放電電流が瞬時に流れ、トランス４４の出力巻線４４ｂに数ｋＶという高いパルス状の電圧が発生し、インピーダンス装置を通して高圧放電灯３に印加される。第２の始動装置５と高圧放電灯３との距離は短いので、パルス電圧はほとんど減衰することなく高圧放電灯３に印加される。また、第２の始動装置５にて発生した始動用の高電圧は、第１の始動装置４のトランス３１の出力巻線３１ａに阻止されて電源１側に抜けることがない。さらに、点灯装置２の他の電気部品に印加して悪影響を及ぼすことも低減される。
【００５３】
そして、入力端子４１ａが正極になる毎に１回パルス電圧が発生するように設定すれば、第２の始動装置５の出力端子４２ａ，４２ｂから出力される電圧波形は図４の(a)に示すようになり、やがて、高圧放電灯３は確実に始動点灯されることになる。また、この動作におけるコンデンサ４７の充電電圧ＶＣの変化は図４の(b)に示すようになる。すなわち、入力端子４１ａが正極になる間だけ充放電が行われ、入力端子４１ｂが正極になっている間は充電が停止される。
【００５４】
そして、高圧放電灯３が点灯を開始すると、ランプ電圧が低下するので、コンデンサ５４の充電電圧がトリガ素子５５のブレークオーバ電圧に達しなくなり、第２の始動装置５からのパルス状電圧の出力は停止される。すなわち、高圧放電灯３の点灯後はパルス状電圧の発生を確実に停止させることができる。そして、点灯後は点灯装置２からの低周波電力によって点灯を維持するようになる。
【００５５】
このように、点灯装置２と高圧放電灯３との配線距離が短い場合も長い場合も使用する点灯装置は同一である。すなわち、点灯装置は共通に使用できる。従って、配線の状況を見ながら点灯装置を変えるような面倒はなく、作業性を向上できる。そして、配線距離が長い場合は点灯装置２と高圧放電灯３との間に、高圧放電灯３に近接して第２の始動装置５を接続すれば良い。また、配線距離が短い場合は点灯装置２に高圧放電灯３を直接接続すればよく、配線距離が長い場合に比べて取付ける部品数を減らすことができ、取付け作業が容易になる。
【００５６】
なお、点灯装置２として、ここでは高圧放電灯３が点灯を開始するまでパルス電圧を一定間隔で発生し続けるタイプのものを使用したが、これに限定するものではなく、高圧放電灯３が点灯を開始するまでパルス電圧を一定の休止期間を設けて間欠的に発生するタイプのものを使用しても何ら問題はない。また、一定期間パルス電圧を発生しても、高圧放電灯が始動しない場合には作動を停止するようにしてもよい。
【００５７】
つぎに、本発明の照明装置の実施形態を図５を参照して説明する。
【００５８】
図５は照明装置の実施形態を示す概略図である。高圧放電灯３は照明装置本体９１によって支持され、この照明装置本体９１は、例えば室内の天井９２に固定されている。そして、第２の始動装置５をこの照明装置本体９１の近傍に配置し配線９３によってランプソケット９４に接続している。なお、第２の始動装置５を前記ランプソケット９４に直接接続するようにしてもよい。また、第２の始動装置５をランプソケット９４内に一体に組み込んでもよい。
【００５９】
点灯装置２は屋内の特定の場所に設置され、長い配線４０ａ，４０ｂを介して第２の始動装置５に接続される。このようにすれば、点灯装置２から離れた位置に照明装置本体９１が配置されても高圧放電灯３を第２の始動装置５を使用して確実に始動点灯させることができる。
【図面の簡単な説明】
【００６０】
【図１】本発明における放電灯点灯装置の一実施形態の全体構成を示すブロック図。
【図２】同じく点灯装置を示す回路図。
【図３】同じく第２の始動装置を示す回路図。
【図４】同じく作用を示す要部の電圧波形図。
【図５】本発明における照明装置の一実施形態を示す概略図。
【符号の説明】
【００６１】
２…点灯装置、３…高圧放電灯、４…第１の始動装置、５…第２の始動装置、３１…第１の始動装置のトランス、４４…第２の始動装置のトランス、９１…照明装置本体。
【図１】
2005294062.tif 000003
【図２】
2005294062.tif 000004
【図３】
2005294062.tif 000005
【図４】
2005294062.tif 000006
【図５】
2005294062.tif 000007